(57)【要約】      （修正有）【課題】墓石は、外気に長時間さらされ、湿気等により、経年劣化していく。納骨堂の左右区画に、砕石を充填させる従来の墓の工法では、砕石から湿気が発生しシミやサビを誘発する。そこで、納骨堂の左右側面からも換気できるよう納骨堂の左右にも換気空間及び換気孔を設け、効率よく納骨堂内部の換気を行い、湿気で墓石が劣化することを防ぐ墓を提供する。【解決手段】基礎の上に立設され、外柵の内部を側壁で区画することによって設けられた空間である納骨室と、外柵の内部であって、納骨室の両側に設けられた空間である横空間と、側壁に設けられ、納骨堂と横空間の空気を相互に循環させる換気孔と、外柵の側面または／および背面に設けられ、納骨堂または横空間と外界の空気を相互に循環させる換気口７２と、外柵の上に設けられ、上台４及び竿石１を有する墓本体と、を備えたことを特徴とする。【選択図】図１
0003200122.tif 000002
【実用新案登録請求の範囲】
【請求項１】
基礎の上に立設され、外柵の内部を側壁で区画することによって設けられた空間である納骨室と、
前記外柵の内部であって、前記納骨室の両側に設けられた空間である横空間と、
前記側壁に設けられ、前記納骨堂と前記横空間の空気を相互に循環させる換気孔と、
前記外柵の側面または／および背面に設けられ、前記納骨堂または前記横空間と外界の空気を相互に循環させる換気口と、
前記外柵の上に設けられ、上台及び竿石を有する墓本体と、を備えたことを特徴とする墓。
【請求項２】
前記外柵の内部に形成された前記横空間及び前記納骨室の上に、平板形状の敷石を載せ、前記外柵の上面と前記敷石の底面とが支え合うようにしたことを特徴とする請求項１に記載の墓。
【考案の詳細な説明】
【技術分野】
【０００１】
この考案は、納骨堂に湿気がこもらず、墓石の劣化が少なくて済む墓に関する。
【背景技術】
【０００２】
一般的な墓の建立方法は、基礎の上に立設された外柵の内部に側壁で納骨堂を形成し、納骨堂の左右区画には砕石を充填させて建立するものである。
【０００３】
墓石は、外気に長時間さらされるため、朝夕の気温差、納骨堂にこもる湿気等により、経年劣化していく。従来の墓の工法では、納骨堂の左右区画に、砕石を充填させるため、砕石が土の水分を吸収して、その湿気が外柵に浸み込み、湿気がシミやサビを誘発する。さらに、一般的な工法では、石材を重ねあわせる際に、セメントで接着することが多いが、セメントを使用した工法では、モルタル中の水酸化カルシウムCa(OH)2 が、砕石から出る湿気や、浸入した雨水などによって溶けて目地やクラックからにじみ出し、空気中の炭酸ガスと反応して炭酸カルシウムCaCO3 となるエフロ（白華）現象を生じる。エフロ（白華）現象は、墓石の外観を悪くする。
【０００４】
墓石を綺麗に保つためには、なるべく墓石内に湿気がこもらないようにすることが大切である。そこで、納骨堂内の換気を行えるような各種墓構造が考案されている。特許文献１の墓石換気構造工法は、墓石本体の下台を切削工具により円筒状または釣鐘状に刳り貫いて納骨堂の上方に空気溜りを形成し、空気溜りの両側面に貫通孔を穿孔して換気できるようにした構造であり、特許文献２の墓は、墓石の下の納骨堂の上面に孔を設け、墓石の下部から墓石前面の香炉台との間の隙間に空気の通り道を確保し、換気を行える構造となっている。しかし、どちらの構造も、墓石の換気を納骨堂上方に設けた貫通孔や隙間を通じて行っており、十分な換気性能は発揮できなかった。
【特許文献１】特開２０１４−２２４３４３号公報
【特許文献２】特開２０１２−  ８２６０５号公報
【考案の概要】
【考案が解決しようとする課題】
【０００５】
そこで、本考案は、上記事情に鑑み、納骨堂の左右側面からも換気できるよう納骨堂の左右にも換気空間及び換気孔を設け、効率よく納骨堂内部の換気を行い、湿気で墓石が劣化することを防ぐ墓を提供する。
【課題を解決するための手段】
【０００６】
本考案の墓は、基礎の上に立設され、外柵の内部を側壁で区画することによって設けられた空間である納骨室と、前記外柵の内部であって、前記納骨室の両側に設けられた空間である横空間と、前記側壁に設けられ、前記納骨堂と前記横空間の空気を相互に循環させる換気孔と、前記外柵の側面または／および背面に設けられ、前記納骨堂または前記横空間と外界の空気を相互に循環させる換気口と、前記外柵の上に設けられ、上台及び竿石を有する墓本体と、を備えたことを特徴とする。
【０００７】
この考案によれば、外柵及び側壁に設けられた換気孔と換気口を通して内部と外界で空気が循環するので、墓の内部に湿気がこもらず、したがって、墓石が湿気で劣化することを防ぐことができる。
【０００８】
また、この考案の墓は、前記外柵の内部に形成された前記横空間及び前記納骨室の上に、平板形状の敷石を載せ、前記外柵の上面と前記敷石の底面とが支え合うようにしたことを特徴とする。
【０００９】
この考案によれば、墓を建立する際に、固定金具や補強金具を使用しないので、建立作業が迅速に行える。また、部材が少ないことで、建立後のメンテナンスが簡単であり、外柵が一部ズレてしまう等、建立後の補修やリフォーム作業も容易に行うことができる。さらに、外柵に敷石を載置する際、セメントを使用しないため、石がエフロ（白華）現象を起すことがなく、年数を経ても、墓石表面を綺麗に保つことができる。
【図面の簡単な説明】
【００１０】
【図１】この考案の実施形態１にかかる墓の斜視図である。
【図２】図１に示した墓の右側面図である。
【図３】図２に示した立て看板のＡ−Ａ断面図である。
【図４】この考案の実施形態１にかかる墓の外柵を説明するための参考斜視図である。
【図５】この考案の実施形態２にかかる墓の斜視図である。
【図６】図５に示した墓の背面図である。
【図７】この考案の実施形態２にかかる墓の外柵を説明するための参考斜視図である。
【図８】この考案の実施形態３にかかる墓の斜視図である。
【図９】図８に示した墓の右側面図である。
【図１０】図８に示した墓の背面図である。
【図１１】この考案の実施形態３にかかる墓の外柵を説明するための参考斜視図である。
【考案を実施するための形態】
【００１１】
以下、本考案を実施するための形態について、詳細に説明する。
【００１２】
（実施の形態１）
図１は、この考案の実施の形態１にかかる墓１００の斜視図である。図２は、図１に示した墓１００の右側面図である。図３は、図２に示した立て看板のＡ−Ａ断面図である。図４は、この考案の実施の形態１にかかる墓１００の外柵７を説明するための参考斜視図である。
【００１３】
図１に示すように、この考案の実施の形態１にかかる墓１００は、石材で四方を囲んで形成した外柵７、外柵７左側上面に載置された敷石６ａ、外柵７右側上面に載置された敷石６ｂ、外柵７の中央上面に載置された敷石６ｃ、中台５、上台４及び竿石１を有する。竿石１の前方には、拝石８が敷かれ、香炉２、香炉２の両側には花立３が備えつけられている。
【００１４】
墓１００の前面であって、前外柵７３には、左右の上方に、それぞれ、換気口７２が設けられている。換気口７２は、前外柵７３を貫通した孔であって、空気の通り道である。換気口７２によって、外柵７に囲まれた内部空間の空気と外界の空気とが循環し換気が促される。
【００１５】
図２に示すように、右外柵７５にも、それぞれ貫通した孔が設けられ、換気孔７１となっている。換気孔７１は、外柵７に囲まれた内部空間である横空間１１、１２及び納骨室１０の空気と外界の空気とを循環し換気を促す。換気孔７１は、ブラインドの桟を固定させたガラリとなっている。換気孔７１には、金網や、細長い開口や孔が多数設けられた換気窓を取り付けても良いし、換気窓を設けず、丸い孔のみの換気孔７１としても良い。
【００１６】
換気孔７１を設ける場所が、右外柵７５の下部で地面に近い部分にあると、土や砂利が風にあおられて換気孔７１から中に入ってしまうので、換気孔７１を設ける場所は、右外柵７５の中央もしくは上方にすると良い。墓１００は、左右対称であって、墓１００の左外柵７６にも、同じように換気孔７１が設けられている。
【００１７】
図３に示すように、外柵７の内部は、側壁７７及び７８によって、３つの区画に区切られており、中央区画の下方は、納骨堂１０となっていて、遺骨が収納される。納骨堂１０の左右区画は、空洞となっており横空間１１,１２となっている。従来の工法では、納骨堂１０の左右区画は、砂利や砕石を埋め戻して区画内に充填させるが、本考案の墓１００は、納骨堂１０の左右区画は横空間１１,１２として、砂利や砕石を埋め戻さず、空洞にしておく。
【００１８】
一般的な墓の工法では、納骨堂１０の左右区画には、土や砕石を埋め戻しておくが、そうすると、土や砕石から水分染み出て外柵の石表面に、シミやサビを発生させる原因となってしまう。また、石と石の接着にセメントを使用している場合は、湿気によってエフロ（白華）現象を誘発しやすくなり、石表面が綺麗に保てなくなる。本考案の墓１００は、納骨堂１０の左右区画には、土や砕石を埋め戻さず、空洞としておき、さらに、納骨堂１０との境の側壁７７、７８、右外柵に、喚起孔７１を設けているので、納骨室１０、横空間１１、１２及び外気との間で空気が循環し納骨堂１０に湿気がこもらない。また、外柵７の上に敷石６ａ、６ｂ及び６ｃを載置することによって墓１００を建立し、セメントや補強金具を使用しないので、エフロ（白華）現象やサビの発生もない。
【００１９】
図４に示すように、前外柵７３の右側上方と左側上方には、換気口７２が設けられ、外気と横空間１１、１２の空気を循環させ換気を行っている。換気口７２及び換気孔７１が設けられているおかげで、納骨室１０、横空間１１、１２の空気が常時循環し、湿気が墓内部にこもることを防ぐことができる。換気口７２、換気孔７１の大きさや数は、墓の立地にあわせて増減させると良い。川や海の近くや、湿度の高い地方では、換気口７２、換気孔７１を大きくしたり、数を増やすと良い。反対に、乾燥した立地では、換気口７２、換気孔７１を小さくしたり、数を減らしても良い。
【００２０】
本考案の墓１００は、図４のように、外柵７を設置したのち、外柵７の左右区画及び中央区画の上に、それぞれ、平板形状の敷石６ａ、６ｂ及び６ｃをかぶせ、外柵７の上端と敷石６ａ、６ｂ及び６ｃの底面とが、支え合うようにして墓１００を建立する。このようにして建立した墓１００は、強度が強く、耐久性の高い墓１００となる。外柵７の内部に、土や砕石を埋め戻ししないことによって、土圧による外柵７のズレをなくし、凍結による砕石の膨張を防ぎ、湿気で外柵７や墓石表面が黒ずむことを防ぐ。
【００２１】
従来工法では、土圧や凍結の膨張からお墓を守る為に、ステンレス金具を補強として使用するが、本考案の墓１００は、外柵７の内部に土や砕石を埋め戻ししないため、補強金具が不要である。補強金具を使用しないことで、建立時の作業が簡単になるだけでなく、建立後、部材が一部破損したりした際の、修理やメンテナンスも容易に行える。
【００２２】
（実施の形態２）
図５は、この考案の実施の形態２にかかる墓２００の斜視図である。図６は、図５に示した墓２００の背面図である。図７は、この考案の実施の態２にかかる墓２００の外柵７を説明するための参考斜視図である。
【００２３】
図５に示すように、この考案の実施の形態２にかかる墓２００は、石材で四方を囲んで形成した外柵７、外柵７の左側上面に載置された敷石６ａ、外柵７の右側上面に載置された敷石６ｂ、外柵７の中央上面に載置された敷石６ｃ、中台５、上台４及び竿石１を有する。竿石１の前方には、拝石８が敷かれ、香炉２、香炉２の両側には花立３が備えつけられている。
【００２４】
墓２００の前面であって、前外柵７３には、左右の上方に、それぞれ、換気口７２が設けられている。換気口７２は、前外柵７３を貫通した孔であって、空気の通り道である。換気口７２によって、外柵７に囲まれた内部空間の空気と外界の空気とが循環し換気が促される。
【００２５】
図６に示すように、後外柵７４にも、中央及び左右に貫通した孔が３つ設けられ、換気孔７１となっている。換気孔７１は、外柵７に囲まれた内部空間すなわち、納骨室１０、横空間１１、１２内の空気と外界の空気とを循環し換気を促す。換気孔７１は、ブラインドの桟を固定させたガラリとなっている。換気孔７１には、金網や、細長い開口や孔が多数設けられた換気窓でを取り付けても良いし、換気窓を設けず、丸い孔のみの換気孔７１としても良い。
【００２６】
換気孔７１を設ける場所が、後外柵７４の下部で地面に近い部分にあると、土や砂利が風にあおられて換気孔７１から中に入ってしまうので、換気孔７１を設ける場所は、後外柵７４の中央もしくは上方にすると良い。
【００２７】
図７に示すように、外柵７の内部は、側壁７７及び７８によって、３つの区画に区切られており、中央区画の下方は、納骨堂１０となっていて、遺骨が収納される。納骨堂１０の左右にある区画は、空洞となっており横空間１１,１２となっている。従来の工法では、納骨堂１０の左右にある区画に、砂利や砕石を埋め戻しするが、本考案の墓１００は、納骨堂１０の左右区画は横空間１１,１２とし、砂利や砕石を埋め戻さず、空洞にしておく。
【００２８】
一般的な墓の工法では、納骨堂１０の左右区画には、土や砕石を埋め戻しておくが、そうすると、土や砕石から水分染み出て外柵の石表面に、シミやサビを発生させる原因となってしまう。また、石と石の接着にセメントを使用している場合、湿気によってエフロ（白華）現象を誘発しやすくなり、石表面が綺麗に保てなくなる。本考案の墓１００は、納骨堂１０の左右区画には、土や砕石を埋め戻さず、空洞としておき、さらに、納骨堂１０との境の側壁７７、７８、右外柵に、換気孔７１を設けているので、納骨室１０、横空間１１、１２及び外気との間で空気が循環し納骨堂１０に湿気がこもらない。また、外柵７の上に敷石６ａ、６ｂ及び６ｃを載置することによって墓２００を建立し、セメントや補強金具を使用しないので、エフロ（白華）現象やサビの発生もない。
【００２９】
前外柵７３の右側上方と左側上方には、換気口７２が設けられ、外気と横空間１１、１２の空気を循環させ換気を行っている。換気口７２及び換気孔７１とが設けられているおかげで、納骨室１０、横空間１１、１２の空気が常時循環し、湿気が墓内部にこもることを防ぐことができる。換気口７２、換気孔７１の大きさや数は、墓の立地にあわせて増減させると良い。川や海の近くや、湿度の高い地方では、換気口７２、換気孔７１を大きくしたり、数を増やすと良い。反対に、乾燥した立地では、換気口７２、換気孔７１を小さくしたり、数を減らしても良い。
【００３０】
本考案の墓２００は、図７のように、外柵７を設置したのち、外柵７の左右区画及び中央区画の上に、それぞれ、平たい板状の敷石６ａ、６ｂ及び６ｃをかぶせ、外柵７の上端と敷石の底面とが、支え合うようにして墓２００を建立する。このようにして建立した墓２００は、強度が強く、耐久性の高い墓２００となる。外柵７の内部に、土や砕石を埋め戻ししないことによって、土圧による外柵７のズレをなくし、凍結による砕石の膨張を防ぎ、湿気で外柵７や墓石表面が黒ずむことを防ぐ。
【００３１】
従来工法では、土圧や凍結の膨張からお墓を守る為に、ステンレス金具を補強として使用するが、本考案の墓１００は、外柵７の内部に土や砕石を埋め戻ししないため、補強金具が不要である。補強金具を使用しないことで、建立時の作業が簡単になるだけでなく、建立後、部材が一部破損したりした際の、修理やメンテナンスも容易に行える。
【００３２】
（実施の形態３）
図８は、この考案の実施の形態３にかかる墓３００の斜視図である。図９は、図８に示した墓３００の右側面図である。図１０は、図８に示した墓３００の背面図である。図１１は、この考案の実施の形態３にかかる墓３００の外柵７を説明するための参考斜視図である。
【００３３】
図８に示すように、この考案の実施の形態３にかかる墓３００は、石材で四方を囲んで形成した外柵７、外柵７の左側上面に載置された敷石６ａ、外柵７の右側上面に載置された敷石６ｂ、外柵７の中央上面に載置された敷石６ｃ、中台５、上台４及び竿石１を有する。竿石１の前方には、拝石８が敷かれ、香炉２、香炉２の両側には花立３が備えつけられている。
【００３４】
墓３００の前面であって、前外柵７３には、左右の上方に、それぞれ、換気口７２が設けられている。換気口７２は、前外柵７３を貫通した孔であって、空気の通り道である。換気口７２によって、外柵７に囲まれた内部空間の空気と外界の空気とが循環し換気が促される。
【００３５】
図９に示すように、右外柵７５にも、それぞれ貫通した孔が設けられ、換気孔７１となっている。換気孔７１は、外柵７に囲まれた内部空間である横空間１１、１２及び納骨室１０の空気と外界の空気とを循環し換気を促す。換気孔７１は、ブラインドの桟を固定させたガラリとなっている。換気孔７１には、金網や、細長い開口や孔が多数設けられた換気窓を取り付けても良いし、換気窓を設けず、丸い孔のみの換気孔７１としても良い。
【００３６】
換気孔７１を設ける場所が、右外柵７５の下部で地面に近い部分にあると、土や砂利が風にあおられて換気孔７１から中に入ってしまうので、換気孔７１を設ける場所は、右外柵７５の中央もしくは上方にすると良い。墓３００は、左右対称であって、墓３００の左外柵７６にも、同じように換気孔７１が設けられている。
【００３７】
図１０に示すように、後外柵７４にも、中央及び左右に貫通した孔が３つ設けられ、換気孔７１となっている。換気孔７１は、外柵７に囲まれた内部空間すなわち、納骨室１０、横空間１１、１２内の空気と外界の空気とを循環し換気を促す。換気孔７１は、ブラインドの桟を固定させたガラリとなっている。換気孔７１には、金網や、細長い開口や孔が多数設けられた換気窓でを取り付けても良いし、換気窓を設けず、丸い孔のみの換気孔７１としても良い。
【００３８】
換気孔７１を設ける場所が、後外柵７４の下部で地面に近い部分にあると、土や砂利が風にあおられて換気孔７１から中に入ってしまうので、換気孔７１を設ける場所は、後外柵７４の中央もしくは上方にすると良い。
【００３９】
図１１に示すように、外柵７の内部は、側壁７７及び７８によって、３つの区画に区切られており、中央区画の下方は、納骨堂１０となっていて、遺骨が収納される。納骨堂１０の左右にある区画は、空洞となっており横空間１１,１２となっている。従来の工法では、納骨堂１０の左右にある区画に、砂利や砕石を埋め戻しするが、本考案の墓３００は、納骨堂１０の左右区画は横空間１１,１２とし、砂利や砕石を埋め戻さず、空洞にしておく。
【００４０】
一般的な墓の工法では、納骨堂１０の左右区画には、土や砕石を埋め戻しておくが、そうすると、土や砕石から水分染み出て外柵の石表面に、シミやサビを発生させる原因となってしまう。また、石と石の接着にセメントを使用している場合、湿気によってエフロ（白華）現象を誘発しやすくなり、石表面が綺麗に保てなくなる。本考案の墓１００は、納骨堂１０の左右区画には、土や砕石を埋め戻さず、空洞としておき、さらに、納骨堂１０との境の側壁７７、７８、右外柵に、換気孔７１を設けているので、納骨室１０、横空間１１、１２及び外気との間で空気が循環し納骨堂１０に湿気がこもらない。また、外柵７の上に敷石６ａ、６ｂ及び６ｃを載置することによって墓３００を建立し、セメントや補強金具を使用しないので、エフロ（白華）現象やサビの発生もない。
【００４１】
前外柵７３の右側上方と左側上方には、換気口７２が設けられ、外気と横空間１１、１２の空気を循環させ換気を行っている。換気口７２及び換気孔７１とが設けられているおかげで、納骨室１０、横空間１１、１２の空気が常時循環し、湿気が墓内部にこもることを防ぐことができる。換気口７２、換気孔７１の大きさや数は、墓の立地にあわせて増減させると良い。川や海の近くや、湿度の高い地方では、換気口７２、換気孔７１を大きくしたり、数を増やすと良い。反対に、乾燥した立地では、換気口７２、換気孔７１を小さくしたり、数を減らしても良い。
【００４２】
本考案の墓３００は、図１１のように、外柵７を設置したのち、外柵７の左右区画及び中央区画の上に、それぞれ、平たい敷石６ａ、６ｂ及び６ｃをかぶせ、外柵７の上端と敷石の底面とが、支え合うようにして墓３００を建立する。このようにして建立した墓３００は、強度が強く、耐久性の高い墓２００となる。外柵７の内部に、土や砕石を埋め戻ししないことによって、土圧による外柵７のズレをなくし、凍結による砕石の膨張を防ぎ、湿気で外柵７や墓石表面が黒ずむことを防ぐ。
【００４３】
従来工法では、土圧や凍結の膨張からお墓を守る為に、ステンレス金具を補強として使用するが、本考案の墓３００は、外柵７の内部に土や砕石を埋め戻ししないため、補強金具が不要である。補強金具を使用しないことで、建立時の作業が簡単になるだけでなく、建立後、部材が一部破損したりした際の、修理やメンテナンスも容易に行える。
【００４４】
また、本考案の実施例では墓１００,２００及び３００は、洋型墓石としたが、墓１００,２００及び３００は、細長い竿石を備えた和型墓石としても良い。また、外柵７の上面に載せる石材は、芝台、中台、上台、竿石、蓮華台等から適時、必要なものを組み合わせて建立すると良い。
【符号の説明】
【００４５】
１００,２００，３００    墓
１      竿石
２      香炉
３      花立
４      上台
５      中台
６ａ，６ｂ，６ｃ    敷石
７      外柵
７１    換気孔
７２    換気口
７３    前外柵
７４    後外柵
７５    右外柵
７６    左外柵
７７,７８  側壁
８      拝石
９      墓誌
１０    納骨堂
１１，１２  横空間
【図１】
0003200122.tif 000003
【図２】
0003200122.tif 000004
【図３】
0003200122.tif 000005
【図４】
0003200122.tif 000006
【図５】
0003200122.tif 000007
【図６】
0003200122.tif 000008
【図７】
0003200122.tif 000009
【図８】
0003200122.tif 000010
【図９】
0003200122.tif 000011
【図１０】
0003200122.tif 000012
【図１１】
0003200122.tif 000013